(57)【要約】【課題】外部から映像信号が入力されている場合に、アプリケーションの選択情報に基づいて画面情報記憶部に記憶されている画面情報を用いて画面を表示することができる。【解決手段】音響装置は携帯端末と接続可能であり、情報を表示する表示部と、所定のアプリケーションの画面情報を記憶する画面情報記憶部と、アプリケーションの選択を受け付ける受付部と、受付部で受け付けたアプリケーションの選択情報を記憶する選択情報記憶部と、携帯端末に、アプリケーションの選択情報を送信し、アプリケーションの選択情報に応じた情報を受信する音響装置通信部と、音響装置通信部からアプリケーションの選択情報に応じた情報を受信すると、選択情報記憶部に記憶されているアプリケーションの選択情報に基づいて、表示部に画面情報記憶部に記憶されている画面情報を用いて画面を表示する画面表示制御部と、を備える。【選択図】図２
2018005374.tif 000002
【特許請求の範囲】
【請求項１】
携帯端末と接続可能な音響装置であって、
情報を表示する表示部と、
所定のアプリケーションの画面情報を記憶する画面情報記憶部と、
アプリケーションの選択を受け付ける受付部と、
前記受付部で受け付けたアプリケーションの選択情報を記憶する選択情報記憶部と、
前記携帯端末に、前記アプリケーションの選択情報を送信し、前記アプリケーションの選択情報に応じた情報を受信する音響装置通信部と、
前記音響装置通信部から前記アプリケーションの選択情報に応じた情報を受信すると、前記選択情報記憶部に記憶されている前記アプリケーションの選択情報に基づいて、前記表示部に前記画面情報記憶部に記憶されている前記画面情報を用いて画面を表示する画面表示制御部と、
を備えることを特徴とする音響装置。
【請求項２】
請求項１に記載の音響装置において、
前記画面表示制御部は、前記受付部で選択を受け付けたアプリケーションが前記所定のアプリケーションでないときは、前記音響装置通信部を用いて受信した選択情報に応じた情報に含まれる情報を用いて画面を表示する
ことを特徴とする音響装置。
【請求項３】
請求項１に記載の音響装置において、
前記音響装置は、前記音響装置通信部を用いて前記携帯端末から前記所定のアプリケーションが前記携帯端末にないという情報を受信した場合、前記表示部にエラー表示することを特徴とする音響装置。
【請求項４】
携帯端末と、音響装置とを有する音響システムであって、
前記音響装置は、
情報を表示する表示部と、
所定のアプリケーションの画面情報を記憶する画面情報記憶部と、
アプリケーションの選択を受け付ける受付部と、
前記受付部で受け付けたアプリケーションの選択情報を記憶する選択情報記憶部と、
前記携帯端末に前記アプリケーションの選択情報を送信し、前記アプリケーションの選択情報に応じた情報を受信する音響装置通信部と、
前記音響装置通信部から前記アプリケーションの選択情報に応じた情報を受信すると、前記選択情報記憶部に記憶されている前記アプリケーションの選択情報に基づいて、前記表示部に前記画面情報記憶部に記憶されている画面情報を用いて画面を表示する画面表示制御部と、を備え、
前記携帯端末は、
前記所定のアプリケーションを記憶する携帯端末記憶部と、
前記音響装置と通信して、前記音響装置から前記アプリケーションの選択情報を受信し、前記アプリケーションの選択情報に応じた画面情報を含む情報を送信する携帯端末通信部と、
前記携帯端末通信部が受信した前記アプリケーションの選択情報を用いて、ネットワークから前記所定のアプリケーションに対応する情報を取得するネットワーク通信部と、
を備えることを特徴とする音響システム。
【発明の詳細な説明】
【技術分野】
【０００１】
本発明は、音響装置、および音響システムに関する。
【背景技術】
【０００２】
携帯端末と他の端末を接続し、携帯端末で実行されるアプリケーションが出力する音声信号および映像信号を他の端末から出力する構成が広く知られている。特許文献１には、インストールされている外部アプリケーションごとの、音声出力の優先度を示す優先度情報を記憶し、優先度の高い方のアプリケーションによる音声を、車両に備えられた音声出力手段から出力させる構成が開示されている。
【先行技術文献】
【特許文献】
【０００３】
【特許文献１】特開２０１４−３８１８８号公報
【発明の概要】
【発明が解決しようとする課題】
【０００４】
特許文献１の発明を映像出力に置き換えて、あらかじめアプリケーションに優先度を設定しても、アプリケーションの選択に基づいて、映像信号が入力される装置に記憶されている画面情報を用いて画面を表示することができない。
【課題を解決するための手段】
【０００５】
本発明の第１の態様によると、音響装置は、携帯端末と接続可能な音響装置であって、情報を表示する表示部と、所定のアプリケーションの画面情報を記憶する画面情報記憶部と、アプリケーションの選択を受け付ける受付部と、前記受付部で受け付けたアプリケーションの選択情報を記憶する選択情報記憶部と、前記携帯端末に、前記アプリケーションの選択情報を送信し、前記アプリケーションの選択情報に応じた情報を受信する音響装置通信部と、前記音響装置通信部から前記アプリケーションの選択情報に応じた情報を受信すると、前記選択情報記憶部に記憶されている前記アプリケーションの選択情報に基づいて、前記表示部に前記画面情報記憶部に記憶されている前記画面情報を用いて画面を表示する画面表示制御部と、を備える。
本発明の第２の態様によると、音響システムは、携帯端末と、音響装置とを有する音響システムであって、前記音響装置は、情報を表示する表示部と、所定のアプリケーションの画面情報を記憶する画面情報記憶部と、アプリケーションの選択を受け付ける受付部と、前記受付部で受け付けたアプリケーションの選択情報を記憶する選択情報記憶部と、前記携帯端末に前記アプリケーションの選択情報を送信し、前記アプリケーションの選択情報に応じた情報を受信する音響装置通信部と、前記音響装置通信部から前記アプリケーションの選択情報に応じた情報を受信すると、前記選択情報記憶部に記憶されている前記アプリケーションの選択情報に基づいて、前記表示部に前記画面情報記憶部に記憶されている画面情報を用いて画面を表示する画面表示制御部と、を備え、前記携帯端末は、前記所定のアプリケーションを記憶する携帯端末記憶部と、前記音響装置と通信して、前記音響装置から前記アプリケーションの選択情報を受信し、前記アプリケーションの選択情報に応じた画面情報を含む情報を送信する携帯端末通信部と、前記携帯端末通信部が受信した前記アプリケーションの選択情報を用いて、ネットワークから前記所定のアプリケーションに対応する情報を取得するネットワーク通信部と、を備える。
【発明の効果】
【０００６】
本発明によれば、外部から映像信号が入力されている場合に、アプリケーションの選択情報に基づいて画面情報記憶部に記憶されている画面情報を用いて画面を表示することができる。
【図面の簡単な説明】
【０００７】
【図１】音響装置および携帯端末のハードウエア構成を示す図
【図２】音響装置の機能ブロック図
【図３】図３（ａ）はホーム画面を示す図、図３（ｂ）は音楽選択画面を示す図、図３（ｃ）は連携機能画面を示す図、図３（ｄ）はソース選択画面を示す図
【図４】図４（ａ）はＣＤ再生アプリの実行画面を示す図、図４（ｂ）はＡＭ／ＦＭラジオアプリの実行画面を示す図、図４（ｃ）はミュージックアプリの実行画面を示す図、図４（ｄ）はインターネットラジオアプリの実行画面を示す図、図４（ｅ）はインターネットラジオアプリのエラー表示画面を示す図
【図５】音響装置が実行するフラグ判定処理を示すフローチャート
【図６】音響装置が実行する映像作成判断を示すフローチャート
【図７】携帯端末が実行するアプリ起動指令への対応処理を示すフローチャート
【発明を実施するための形態】
【０００８】
（実施の形態）
図１は、本発明の一実施形態に係る音響装置１を含む音響システム９のハードウエア構成を示す図である。図１に示す音響システム９は、車両に搭載されて使用される。音響システム９は、音響装置１と携帯端末２が通信ケーブル８を介した有線通信で互いに接続されることによって実現される。音響装置１は、車両内に固定されており、たとえば車両のインストルメントパネル内などに設置されている。携帯端末２は、ユーザが持ち運び可能な携帯型の情報端末であり、たとえば携帯電話、スマートフォン、タブレット端末などである。なお、通信ケーブル８を介した有線通信には、たとえばＨＤＭＩ（登録商標）などを用いることができる。
【０００９】
車両は、音響装置１と、スピーカ７１と、ステアリングコントローラ７３とを備える。スピーカ７１、およびステアリングコントローラ７３は、信号線により音響装置１と接続される。
スピーカ７１は、音響装置１から出力される信号に基づき音声を出力する。
ステアリングコントローラ７３は、車両のステアリングホイールに設けられた複数のボタンである。このボタンが押されると、液晶タッチパネル７２に表示される後述するアイコンをタッチした場合と同様の動作指令が音響装置１に出力される。
【００１０】
音響装置１は、ＣＰＵ１１と、ＲＯＭ１２と、ＲＡＭ１３と、音響装置記憶部１４と、内部インタフェース１５と、携帯端末２と通信する音響装置通信部１６と、液晶タッチパネル７２とを備える。ＣＰＵ１１は、ＲＯＭ１２に保存されているプログラムをＲＡＭ１３に展開して実行することにより、後述する様々な機能を実行する。またＣＰＵ１１は、音響装置記憶部１４に保存される複数の音響装置アプリケーションプログラム（以下、音響装置アプリと呼ぶ）も同様に実行する。ＲＡＭ１３には、後述するソース変数、およびフラグが格納される。ソース変数はユーザによる入力操作により様々な値に設定され、フラグは後述するプログラムによりオンまたはオフに設定される。
【００１１】
液晶タッチパネル７２は、各種の画像や映像を表示可能な液晶ディスプレイとタッチ位置を検出するタッチセンサと組み合わせて構成される。ユーザは、液晶タッチパネル７２に表示される画像や映像の内容に応じて液晶タッチパネル７２上で任意の位置を指等でタッチすることで、所望の動作指令を後述する内部インタフェース１５に出力することができる。液晶タッチパネル７２はさらに１または複数のボタンを備えてもよい。
【００１２】
音響装置記憶部１４は不揮発性のデータ格納装置であり、たとえばＨＤＤ（ハードディスクドライブ）やフラッシュメモリ等によって実現される。音響装置記憶部１４に格納されるデータは後述する。内部インタフェース１５は、スピーカ７１、液晶タッチパネル７２、およびステアリングコントローラ７３と接続されるインタフェースである。音響装置通信部１６は、通信ケーブル８を介して携帯端末２の携帯端末通信部２６と接続されることにより、音響装置１と各種情報を授受する。
【００１３】
携帯端末２は、ＣＰＵ２１と、ＲＯＭ２２と、ＲＡＭ２３と、携帯端末記憶部２４と、音響装置１と通信する携帯端末通信部２６と、外部ネットワークと通信するネットワーク通信部２７と、表示部２８と、入力部２９とを備える。
【００１４】
表示部２８および入力部２９は、各種の画像や映像を表示可能なタッチパネル式の表示モニタであり、たとえばタッチ位置を検出するタッチセンサと液晶ディスプレイとを組み合わせて構成される。ユーザは、表示部２８に表示される画像や映像の内容に応じて、表示部２８上で任意の位置を指等でタッチすることで、所望の機能を携帯端末２に実行させることができる。
【００１５】
携帯端末記憶部２４は不揮発性のデータ格納装置であり、たとえばＨＤＤやフラッシュメモリ等によって実現される。携帯端末記憶部２４には、複数の携帯端末アプリケーションプログラム（以下、携帯アプリと呼ぶ）、および複数の楽曲データが格納される。携帯アプリはユーザが自由に追加できるが、本実施の形態では携帯端末記憶部２４に格納される携帯アプリは、電話をかける架電アプリ、電子メールを送受信するメールアプリ、ユーザの個人的な連絡先を表示・編集する連絡帖アプリ、楽曲データを再生するミュージックアプリ、インターネットラジオを視聴するインターネットラジオアプリである。この５つの携帯アプリのうち、音声出力が行われるのは、架電アプリ、ミュージックアプリ、およびインターネットラジオアプリの３つである。携帯アプリは、表示部２８からの動作指令、または音響装置１からの動作指令によりＲＡＭ２３に読み込まれてＣＰＵ２１により実行される。
【００１６】
携帯端末通信部２６は、通信ケーブル８を介して音響装置１の音響装置通信部１６と接続されることにより、音響装置１と各種情報を授受する。ネットワーク通信部２７は、無線通信モジュールである。携帯端末２は、ネットワーク通信部２７を介して携帯電話網に接続し、広域ネットワーク、たとえばインターネットに接続された複数のサーバにアクセスする。そして実行する携帯アプリに対応する情報を送受信する。たとえばメールアプリを実行している場合は電子メールの情報を送受信し、インターネットラジオアプリを実行している場合は後述するインターネットラジオ局の選択情報を送信し、楽曲データや楽曲の名称、ジャケット写真の情報などを受信する。
【００１７】
（インターネットラジオアプリ）
インターネットラジオとは、変調した電波を搬送波とするいわゆるＡＭ／ＦＭラジオとは異なり、インターネットを利用したデータ通信により音声データを受信して再生するものである。世界中に複数のインターネットラジオ放送局が存在し、ユーザはＵＲＩ（Uniform Resource Identifier）を指定することにより任意のインターネットラジオを視聴することができる。
【００１８】
インターネットラジオアプリは携帯アプリの１つであり、携帯端末２のＣＰＵ２１により実行される。インターネットラジオアプリには、あらかじめ複数のインターネットラジオ局のＵＲＩがプリセットされている。ただし、ユーザがＵＲＩを入力することによりインターネットラジオ局を追加できてもよい。インターネットラジオアプリは、ユーザの選択に基づきデータを受信するインターネットラジオ局を変更する。さらにインターネットラジオアプリは、ユーザによる楽曲評価を収集する機能を有する。
【００１９】
（機能ブロック）
図２は、音響装置１のＣＰＵ１１がＲＯＭ１２に記憶されたプログラムを実行することにより実現される機能を機能ブロックとして示す機能ブロック図である。図２に示すように音響装置１は論理的な構成として、音響装置制御部１００と、音声制御部１０１と、表示制御部１０２と、タッチ制御部１０３と、ボタン制御部１０４と、連携制御部１１０と、一般コマンド処理部１１１と、ラジオコマンド処理部１１２と、連携データ送受信部１１３とを備える。なお図２には音響装置記憶部１４も記載されているが、機能ブロックではないので破線で示している。音響装置制御部１００は、音声制御部１０１、表示制御部１０２、タッチ制御部１０３、ボタン制御部１０４、連携制御部１１０、および音響装置記憶部１４と仮想的な信号線により接続される。連携制御部１１０は、一般コマンド処理部１１１、ラジオコマンド処理部１１２、連携データ送受信部１１３、および音響装置記憶部１４と仮想的な信号線により接続される。連携データ送受信部１１３は、一般コマンド処理部１１１、およびラジオコマンド処理部１１２と仮想的な信号線により接続される。
【００２０】
音響装置記憶部１４には、複数の音響装置アプリ１４Ａと、メニュー画面情報１４Ｂと、インターネットラジオアプリ画面情報１４Ｃとが格納される。音響装置アプリ１４Ａとは、たとえば設定された目的地までの案内を行うナビゲーションアプリ、音楽ＣＤを再生するＣＤ再生アプリ、いわゆる地上波ラジオを再生するＡＭ／ＦＭラジオアプリなどである。メニュー画面情報１４Ｂとは、表示制御部１０２に表示する複数のメニュー画面の情報、およびメニュー画面の遷移情報である。インターネットラジオアプリ画面情報１４Ｃとは、インターネットラジオアプリに対応する画面を生成するための情報である。メニュー画面、およびインターネットラジオアプリの画面は後に例を挙げて説明する。
【００２１】
音響装置制御部１００は、音響装置１を統括する。音響装置制御部１００には、タッチ制御部１０３、およびボタン制御部１０４から入力されるユーザ操作に基づき、メニュー画面の遷移、音響装置アプリの起動、音響装置アプリの制御、ソース変数の設定、および携帯端末との連携動作を行う。音響装置制御部１００は、音声制御部１０１、および表示制御部１０２に動作指令を出力する。音響装置制御部１００が音声制御部１０１に送信する音声信号は、音響装置制御部１００が生成した音声信号、または携帯端末２が生成し連携制御部１１０を介して受信した音声信号である。音響装置制御部１００が表示制御部１０２に送信する映像信号は、音響装置制御部１００が生成した映像信号、連携制御部１１０が生成した映像信号、または携帯端末２が生成し連携制御部１１０を介して受信した映像信号である。音響装置制御部１００は、タッチ制御部１０３およびボタン制御部１０４から入力があると、後述する連携機能に関する入力であるか否かを判断し、連携機能に関する入力である場合は連携制御部１１０にその入力を伝達する。音響装置制御部１００は、ソース変数を設定するたびに連携制御部１１０に新たなソース変数の値を出力する。
【００２２】
音声制御部１０１は、音響装置制御部１００の動作指令に基づきスピーカ７１を動作させる。表示制御部１０２は、音響装置制御部１００の動作指令に基づき液晶タッチパネル７２へ映像を表示させる。タッチ制御部１０３は、液晶タッチパネル７２へのユーザの操作入力を音響装置制御部１００へ伝達する。ボタン制御部１０４は、ステアリングコントローラ７３へのユーザの操作入力を音響装置制御部１００へ伝達する。
【００２３】
連携制御部１１０は、音響装置制御部１００から入力される連携機能に関する入力情報の処理と、音響装置制御部１００への映像信号および音声信号の出力を行う。連携制御部１１０は、音響装置制御部１００から連携機能に関する入力情報が入力されると、一般コマンド処理部１１１、またはラジオコマンド処理部１１２に入力情報を伝達する。連携制御部１１０は、液晶タッチパネル７２にインターネットラジオアプリの画面が表示されており、かつ液晶タッチパネル７２からの入力である場合はラジオコマンド処理部１１２に入力された情報を伝達し、それ以外の場合は一般コマンド処理部１１１に入力された情報を伝達する。連携制御部１１０は、連携データ送受信部１１３から映像信号および音声信号を受信すると、受信した音声信号を音響装置制御部１００へ出力する。このとき連携制御部１１０は、後述する所定の条件を満たさない場合は受信した映像信号を音声信号と共に音響装置制御部１００へ出力し、後述する所定の条件を満たす場合は受信した映像信号とは別の映像信号を作成して音声信号と共に音響装置制御部１００へ出力する。
【００２４】
一般コマンド処理部１１１は、携帯端末２のインターネットラジオアプリ以外についてのコマンドを扱う。一般コマンド処理部１１１は、コマンド生成機能、およびコマンド解釈機能を有する。一般コマンド処理部１１１は、連携制御部１１０から入力される入力情報に基づきコマンド、たとえば携帯アプリの起動指令コマンドを生成し、連携データ送受信部１１３を介して携帯端末２へ送信する。一般コマンド処理部１１１は、連携データ送受信部１１３から入力されるコマンド、たとえば後述する連携処理に関する情報を解釈し、連携制御部１１０に出力する。
【００２５】
ラジオコマンド処理部１１２は、携帯端末２のインターネットラジオアプリについてのコマンドを扱う。ラジオコマンド処理部１１２は、コマンド生成機能、およびコマンド解釈機能を有する。ラジオコマンド処理部１１２は、連携制御部１１０から入力される入力情報に基づきコマンド、たとえばインターネットラジオアプリの起動指令コマンドを生成し、連携データ送受信部１１３を介して携帯端末２へ送信する。ラジオコマンド処理部１１２は、連携データ送受信部１１３から入力されるコマンド、たとえば選択されているインターネットラジオステーションの名称、再生中の楽曲の名称、および再生中の楽曲のジャケット写真の情報などを解釈し、連携制御部１１０に出力する。
【００２６】
連携データ送受信部１１３は、携帯端末２から映像信号および音声信号を受信し、連携制御部１１０に出力する。連携データ送受信部１１３は、一般コマンド処理部１１１およびラジオコマンド処理部１１２から入力されたコマンドを携帯端末２に送信する。連携データ送受信部１１３は、携帯端末２からコマンドを受信すると、一般コマンドとラジオコマンドのいずれであるかを判断する。そして連携データ送受信部１１３は、一般コマンドであると判断する場合は受信したコマンドを一般コマンド処理部１１１に送信し、ラジオコマンドであると判断する場合は受信したコマンドをラジオコマンド処理部１１２に送信する。
【００２７】
（メニュー画面）
図３（ａ）〜（ｄ）を用いて液晶タッチパネル７２に表示されるメニュー画面の遷移を説明する。図３（ａ）はホーム画面２１０を示す図、図３（ｂ）は音楽選択画面２２０を示す図、図３（ｃ）は連携機能画面２３０を示す図、図３（ｄ）はソース選択画面２４０を示す図である。図３（ａ）、（ｂ）、（ｄ）はメニュー画面情報１４Ｂに基づき音響装置制御部１００が生成した画面であり、図３（ｃ）は携帯端末２から受信した映像信号に基づき生成された画面である。なお図３では図示された文字をアイコンとしているが、アイコンが文字と画像から構成されてもよいし、アイコンが画像のみから構成されてもよい。
【００２８】
図３（ａ）は、音響装置１が起動されると音響装置制御部１００により液晶タッチパネル７２に表示されるホーム画面２１０を示す図である。ホーム画面２１０には、ナビアプリを起動するナビアイコン２１１と、音楽選択画面２２０へ遷移する音楽アイコン２１２と、連携機能画面２３０へ遷移する連携アイコン２１３と、ソース選択画面２４０へ遷移するソース選択アイコン２１４と、音響装置制御部１００の各種設定を行う設定画面へ遷移する設定アイコン２１５とが表示される。ただし図３（ａ）はホーム画面２１０の一例であり、他のアイコンがさらに表示されていてもよい。
【００２９】
図３（ｂ）は、ホーム画面２１０において音楽アイコン２１２が選択されると液晶タッチパネル７２に表示される音楽選択画面２２０を示す図である。音楽選択画面２２０には、ＣＤ再生アプリを起動するＣＤアイコン２２１と、ＡＭ／ＦＭラジオアプリを起動する地上ラジオアイコン２２２と、インターネットラジオアプリを起動するインターネットラジオアイコン２２３と、ミュージックアプリを起動するミュージックアプリアイコン２２４とが表示される。なお、インターネットラジオアイコン２２３やミュージックアプリアイコン２２４は、携帯端末２の携帯端末記憶部２４にインターネットラジオアプリやミュージックアプリが格納されているか否かに関わらず表示される。
【００３０】
図３（ｃ）は、ホーム画面２１０において連携アイコン２１３が選択されると液晶タッチパネル７２に表示される連携機能画面２３０を示す図である。前述のとおり、連携機能画面２３０は携帯端末２により生成され、通信ケーブル８を介して音響装置１に送信される。連携機能画面２３０には、架電アプリを起動させる電話アイコン２３１と、電子メールを送受信するメールアプリを起動させるメールアイコン２３２と、連絡帖アプリを起動させる電話帳アイコン２３４と、前述のミュージックアプリアイコン２２４とが表示される。ただし連携機能画面２３０にはインターネットラジオアイコン２２３がさらに表示されてもよい。また、携帯端末２に他の携帯アプリがインストールされると、その携帯アプリが連携機能画面２３０にさらに表示される。
【００３１】
図３（ｄ）は、ホーム画面２１０においてソース選択アイコン２１４が選択されると液晶タッチパネル７２に表示されるソース選択画面２４０を示す図である。ソース選択画面２４０には、前述のＣＤアイコン２２１と、前述の地上ラジオアイコン２２２と、前述の連携アイコン２１３と、前述のインターネットラジオアイコン２２３とが表示される。
【００３２】
（各アプリの画面）
図４（ａ）〜（ｅ）を用いて液晶タッチパネル７２に表示される各アプリの表示画面を説明する。図４（ａ）〜（ｄ）はそれぞれ、ＣＤ再生アプリ、ＡＭ／ＦＭラジオアプリ、ミュージックアプリ、インターネットラジオアプリの実行画面である。図４（ｅ）は、インターネットラジオアプリのエラー表示画面である。なお、以下では液晶タッチパネル７２に表示されたいずれかのアイコンが選択された場合にアプリの表示画面が表示されると説明しているが、ステアリングコントローラ７３のボタンを押すことによっても、そのボタンに対応する各アプリの表示画面が表示される場合がある。
【００３３】
図４（ａ）は、ＣＤアイコン２２１が選択されると表示される音楽ＣＤ再生画面２２１Ａを示す図である。音楽ＣＤ再生画面２２１Ａには、挿入されている音楽ＣＤの総トラック数と、再生中のトラック番号と、再生中のトラックにおける再生時間と、再生制御用のボタンとが表示される。再生制御用のボタンとは、再生／一時停止ボタン、次のトラックを再生する曲送りボタン、および前のトラックを再生する曲戻しボタンである。
【００３４】
図４（ｂ）は、地上ラジオアイコン２２２が選択されると表示される地上ラジオ再生画面２２２Ａを示す図である。表示される地上ラジオ再生画面２２２Ａには、現在選択されている変調方式および周波数と、再生制御用のボタンとが表示される。再生制御用のボタンとは、変調方式の切り替えボタン、および周波数を変化させるボタンである。
【００３５】
図４（ａ）に示すＣＤ再生アプリ、および図４（ｂ）に示すＡＭ／ＦＭラジオアプリは音響装置アプリであり、音響装置１の音響装置制御部１００、すなわちＣＰＵ１１により実行される。上述した音楽ＣＤ再生画面２２１Ａおよび地上ラジオ再生画面２２２Ａは、音響装置制御部１００により生成され液晶タッチパネル７２に出力される。
【００３６】
図４（ｃ）は、ミュージックアプリアイコン２２４が選択されると表示されるミュージックアプリ画面２２４Ａを示す図である。ミュージックアプリ画面２２４Ａには、再生中の楽曲の名称と、再生中の楽曲の実演家の名称と、再生中の楽曲の再生時間と、再生制御用のボタンとが表示される。再生制御用のボタンとは、再生／一時停止ボタン２５１、次の曲を再生する曲送りボタン２５２、および前の曲を再生する曲戻しボタン２５３である。
【００３７】
ミュージックアプリは携帯端末２において実行される。携帯端末２はミュージックアプリが出力する音声情報、映像情報、および再生中の楽曲に関する情報を通信ケーブル８を介して音響装置１に出力する。音響装置１は、受信した音声情報を音声制御部１０１を介してスピーカ７１から出力し、受信した映像情報を表示制御部１０２を介して液晶タッチパネル７２から出力する。
【００３８】
図４（ｄ）は、インターネットラジオアイコン２２３が選択されると表示されるインターネットラジオアプリ画面２２３Ａを示す図である。インターネットラジオアプリ画面２２３Ａには、選択されているインターネットラジオ放送局の名称と、再生中の楽曲の名称と、再生中の楽曲の実演家の名称と、再生中の楽曲のジャケット写真２６９と、制御用のボタンとが表示される。制御用のボタンとは、再生／一時停止ボタン２６１、次の曲を再生する曲送りボタン２６２、インターネットラジオ放送局を順送りにする局送りボタン２６４、同じく逆戻しにする局戻しボタン２６５、再生中の楽曲の肯定的な評価を行う肯定評価ボタン２６６、および否定的な評価を行う否定評価ボタン２６７である。
【００３９】
図４（ｃ）と図４（ｄ）を比較すると、再生中の楽曲の名称と、再生中の楽曲の実演家の名称とが表示される点が同一であり、一部の制御用のボタンが対応する。すなわち図４（ｃ）における再生／一時停止ボタン２５１および曲送りボタン２５２は、図４（ｄ）における再生／一時停止ボタン２６１および曲送りボタン２６２にそれぞれ対応する。しかし、図４（ｄ）における局送りボタン２６４、局戻しボタン２６５、肯定評価ボタン２６６、否定評価ボタン２６７、ジャケット写真２６９に相当する画像は図４（ｃ）には存在しない。このようにインターネットラジオアプリ画面２２３Ａには、ミュージックアプリ画面２２４Ａには存在しない情報が含まれ、表示される情報が多いだけでなく、ミュージックアプリ画面２２４Ａでは不可能な操作、たとえば肯定評価などが可能である。
【００４０】
図４（ｅ）は、インターネットラジオアイコン２２３が選択された際に、後述する所定の条件下で表示されるエラー表示画面２２３Ｂを示す図である。エラー表示画面２２３Ｂには、携帯端末２にインターネットラジオアプリがインストールされていない旨が表示される。
【００４１】
インターネットラジオアプリは携帯端末２において実行される。携帯端末２はインターネットラジオアプリが出力する音声情報、ミュージックアプリ画面２２４Ａを表す映像信号、および再生中の楽曲に関する情報を通信ケーブル８を介して音響装置１に出力する。音響装置１は、受信した再生中の楽曲に関する情報と、記憶部に記憶された画面情報を用いてインターネットラジオアプリ画面２２３Ａを作成し表示制御部１０２を介して液晶タッチパネル７２に出力する。音響装置１は、受信した音声情報を音声制御部１０１を介してスピーカ７１から出力する。
【００４２】
（画面出力と音声出力の切り替え）
図３を用いて説明した画面の遷移、および図４を用いて説明したアプリの実行画面への遷移は、液晶タッチパネル７２に表示されたいずれかのアイコンの選択によるものであった。ステアリングコントローラ７３に備えられる前述のアイコンに対応するボタンが押された場合には、液晶タッチパネル７２に現在表示されている情報の種類に基づき、選択されたアプリの画面表示を行うか否かが決定される。すなわち、音楽再生を目的としない音響装置アプリ、たとえばナビアプリ、または設定アイコン２１５から呼び出される設定画面が表示されている場合は選択されたアプリの画面表示を行わず、それ以外の画面表示が行われている場合は選択されたアプリの画面表示を行う。換言すると、選択されたアプリの画面表示を行うのは、液晶タッチパネル７２に音楽再生を目的とした音響装置アプリ、ホーム画面２１０，音楽選択画面２２０，連携機能画面２３０、ソース選択画面２４０、またはインターネットミュージックアプリやミュージックアプリなどの携帯端末アプリ、のいずれかが表示されている場合である。
【００４３】
ただし連携アイコン２１３、インターネットラジオアイコン２２３、ミュージックアプリアイコン２２４を選択されることにより表示される情報は、いずれも携帯端末２から連携制御部１１０を介して受信する情報である。そのため、それらのアイコンが選択された場合は連携制御部１１０から出力される映像情報が液晶タッチパネル７２に表示される。
一方音声出力は、液晶タッチパネル７２とステアリングコントローラ７３のいずれを用いてアプリが選択された場合でも、液晶タッチパネル７２の画面表示に関わらず、選択されたアプリの音声が出力される。
【００４４】
（ソース変数）
音響装置制御部１００は、タッチ制御部１０３およびボタン制御部１０４からの入力に基づきソース変数を設定する。ソース変数は、それぞれの音響装置アプリに対応する値、およびインターネットラジオアプリに対応する値をとりうる。具体的には、ナビアプリに対応する値、ＣＤ再生アプリに対応する値、ＡＭ／ＦＭラジオアプリに対応する値、インターネットラジオアプリに対応する値の４つの値をとりうる。音響装置制御部１００は、いずれかの音響装置アプリ、またはインターネットラジオアプリが選択されると、ソース変数に選択されたものに対応する値を設定する。ソース変数は設定されるたびに値が上書きされるため、最新の選択のみが反映される。
【００４５】
（連携機能）
音響装置１と携帯端末２との連携機能について説明する。この連携機能を用いることで、音響装置１と携帯端末２とが互いに接続された状態で、携帯端末２において予めインストールされた様々な携帯アプリを実行すると、音響装置１において携帯アプリに応じた画像表示や音声出力を行うことができる。また、音響装置１に対して行われたユーザの操作内容を、携帯端末２において実行されているアプリケーションの動作に反映させることができる。このように連携機能を用いたアプリケーションの一例としては、たとえば前述のメールアプリ、ミュージックアプリ、インターネットラジオアプリなどが挙げられる。
【００４６】
携帯端末２は、実行されているアプリケーションの種類に応じて、音響装置１に出力する画面表示を決定する。たとえば、ミュージックアプリとインターネットラジオアプリはいずれも音楽再生を行うアプリなので、いずれのアプリが実行されている場合もミュージックアプリ画面２２４Ａを表す映像信号を出力する。ただし、音声信号は実行されているアプリケーションが出力する音声信号をそのまま出力する。
【００４７】
また前述のとおり、音響装置１には、上記の連携機能を用いずに音響装置１が単独で実行可能な音響装置アプリが予め搭載されている。この音響装置アプリを音響装置１が実行することでも、音響装置１において当該音響装置アプリに応じた様々な画像表示や音声出力を行うことができる。このように連携機能を用いないアプリケーションの一例としては、たとえばナビアプリなどが挙げられる。
【００４８】
（フローチャート）
前述のとおり、連携制御部１１０は所定の条件を満たすか否かにより、連携データ送受信部１１３から受信した映像信号を音響装置制御部１００に出力するか、自ら作成した映像を音響装置制御部１００に出力するかを決定する。本実施の形態では、条件を満たすか否かの判断を以下のようにフラグの有無により判断する。フラグはＲＡＭ１３に保存される。
【００４９】
図５は、連携制御部１１０によるフラグ判定処理を示すフローチャートである。以下に説明する各ステップの実行主体は連携制御部１１０である。後述する別なフローチャートからの実行指令に基づき、ステップＳ３０１の処理が開始される。
ステップＳ３０１では、ソース変数がインターネットラジオに対応する値であるか否かを判断する。インターネットラジオに対応する値であると判断する場合はステップＳ３０２に進み、それ以外の値であると判断する場合はステップＳ３０５に進む。
【００５０】
ステップＳ３０２では、液晶タッチパネル７２に連携画面２３０が表示されているか否かを判断する。連携画面２３０が表示されていると判断する場合はステップＳ３０３に進み、連携画面２３０以外が表示されていると判断する場合はステップＳ３０４に進む。
ステップＳ３０３では、フラグをオンに設定してＲＡＭ１３に保存し、図５のフローチャートを終了する。
【００５１】
ステップＳ３０４では、ソース切り替え後１秒以内であるか否かを判断する。ソース切り替え後１秒以内であると判断する場合はステップＳ３０３に進み、ソース切り替え後１秒よりも長い時間が経過していると判断する場合はステップＳ３０５に進む。なお本ステップにおいて肯定判断される場合とは、たとえば液晶タッチパネル７２に連携画面２３０が表示されている状況において、ステアリングコントローラ７３においてインターネットラジオアイコン２２３に対応するボタンが押された場合である。本ステップにおいて否定判断される場合とは、ソース選択画面２４０が表示されている状態で、インターネットラジオアイコン２２３と連携アイコン２１３とが連続して押され、連携機能画面２３０が表示され、インターネットラジオアイコン２２３が押されてから１秒よりも長い時間が経過してから映像信号および音声信号を受信した場合である。
ステップＳ３０５では、フラグをオフに設定してＲＡＭ１３に保存し、図５のフローチャートを終了する。
以上の処理により連携制御部１１０はフラグを管理する。
【００５２】
図６は、連携制御部１１０による音響装置制御部１００へ出力する映像信号を決定する処理を示すフローチャートである。以下に説明する各ステップの実行主体は連携制御部１１０である。
ステップＳ３１０では、携帯端末２から映像信号および音声信号を受信したか否かを判断する。受信したと判断する場合はステップＳ３１１に進み、受信していないと判断する場合はステップＳ３１０に留まる。
ステップＳ３１１では、図５に示すフラグ判定処理を行い、次にステップＳ１１２に進む。
ステップＳ３１２では、ステップＳ３１１において判定されたフラグの状態を判断し、フラグがオンであると判断する場合はステップＳ３１３に進み、フラグがオフであると判断する場合はステップＳ３１７に進む。
【００５３】
ステップＳ３１３では、ラジオコマンド処理部１１２が解釈した情報に、指定されたアプリが当該携帯端末２にない旨のエラーが含まれるか否かを判断する。そのエラーが含まれると判断する場合はステップＳ３１４に進み、そのエラーが含まれないと判断する場合はステップＳ３１５に進む。
ステップＳ３１４では、インターネットラジオアプリ画面情報１４Ｃを用いて図４（ｅ）に示したエラー表示画面２２３Ｂを生成しステップＳ３１６に進む。
【００５４】
ステップＳ３１５では、インターネットラジオアプリ画面情報１４Ｃ、およびラジオコマンド処理部１１２が解釈した情報に基づきインターネットラジオアプリ画面２２３Ａを生成する。ラジオコマンド処理部１１２が解釈した情報とは、選択されているインターネットラジオステーションの名称、再生中の楽曲の名称、および再生中の楽曲のジャケット写真の情報などである。次にステップＳ３１６に進む。
【００５５】
ステップＳ３１６では、ステップＳ３１４またはステップＳ３１５において作成したインターネットラジオアプリの画面を映像信号として音響装置制御部１００に出力し、図６のフローチャートを終了する。
ステップＳ３１２においてフラグがオフであると判断されると実行されるステップＳ３１７では、携帯端末２から受信した映像信号を音響装置制御部１００に出力し、図６のフローチャートを終了する。
【００５６】
図７は、携帯端末２の連携動作に関する処理を表すフローチャートである。以下に説明する各ステップの実行主体は携帯端末２のＣＰＵ２１である。
ステップＳ４１１では、音響装置１からアプリの起動指令を受信したか否かを判断する。受信したと判断する場合はステップＳ４１２に進み、受信していないと判断する場合はステップＳ４１１に留まる。
【００５７】
ステップＳ４１２では、起動指令の対象となるアプリが携帯端末記憶部２４に格納されているか否かを判断する。格納されていると判断する場合はステップＳ４１３に進み、格納されていないと判断する場合はステップＳ４１５に進む。
ステップＳ４１３では当該アプリを起動し、続くステップＳ４１４において音声信号および映像信号を音響装置１に出力して図７のフローチャートを終了する。
ステップＳ４１５では、指定されたアプリが当該携帯端末２にない旨のエラーを音響装置１に出力して図７のフローチャートを終了する。
【００５８】
上述した第１の実施の形態によれば、次の作用効果が得られる。
（１）音響装置１は、携帯端末２と接続可能である。音響装置１は、情報を表示する表示部、すなわち液晶タッチパネル７２と、所定のアプリケーションの画面情報を記憶する画面情報記憶部、すなわちインターネットラジオアプリ画面情報１４Ｃを記憶する音響装置記憶部１４と、アプリケーションの選択を受け付ける受付部、すなわち液晶タッチパネル７２および内部インタフェース１５と、受付部で受け付けたアプリケーションの選択情報を記憶する選択情報記憶部、すなわちソース変数を記憶するＲＡＭ１３と、携帯端末２にアプリケーションの選択情報を送信し、アプリケーションの選択情報に応じた情報を受信する音響装置通信部１６と、音響装置通信部１６からアプリケーションの選択情報に応じた情報、すなわちインターネットラジオアプリを実行して得られる音声情報および映像情報を受信すると、選択情報記憶部に記憶されているアプリケーションの選択情報、すなわちＲＡＭ１３に記憶されているフラグに基づいて、表示部に画面情報記憶部に記憶されている画面情報を用いて画面を表示する画面表示制御部、すなわちインターネットラジオアプリ画面情報１４Ｃを用いて液晶タッチパネル７２にインターネットラジオアプリ画面２２３Ａを表示する連携制御部１１０および表示制御部１０２と、を備える。そのため、アプリケーションの選択情報に基づいて、画面情報記憶部に記憶されている画面情報を用いて表示部に画面を表示することができる。換言すると、特定のアプリケーションが選択されている場合は、携帯端末２から受信した映像信号に基づく画面ではなく、当該音響装置１に記憶されている情報に基づく画面を表示する。
【００５９】
（２）画面表示制御部は、受付部で受け付けたアプリケーションが所定のアプリケーション、すなわちインターネットラジオアプリでないときは、音響装置通信部１６を用いて受信した選択情報に応じた情報に含まれる情報、すなわち携帯端末２から受信した映像信号を用いて画面を表示する。そのため、携帯端末２において実行されるインターネットラジオアプリ以外のアプリは、携帯端末２が出力する映像信号を液晶タッチパネル７２に表示することができる。
【００６０】
（３）音響装置１は、音響装置通信部１６を用いて携帯端末２から所定のアプリケーションが携帯端末にないという情報を受信した場合、表示部にエラー表示する。すなわち、携帯端末２から指定されたアプリが当該携帯端末２にない旨のエラーを受信すると図６のステップＳ３１３において肯定判定され、ステップＳ３１４においてエラー画面を作成し、音響装置制御部１００に出力する。そして音響装置制御部１００は、入力された映像信号を表示制御部１０２を介して液晶タッチパネル７２に出力する。そのため、携帯端末２にインターネットラジオアプリがインストールされていないことをユーザに伝達できる。
【００６１】
（４）音響システム９は、携帯端末２と、音響装置１とを含む。携帯端末２は、アプリケーションを記憶する携帯端末記憶部２４と、音響装置１と通信して、音響装置１からアプリケーションの選択情報を受信し、アプリケーションの選択情報に応じた画面情報を含む情報を送信する携帯端末通信部２６と、携帯端末通信部２６が受信したアプリケーションの選択情報を用いて、ネットワークからアプリケーションに対応する情報、たとえばインターネットラジオアプリに対応するインターネットラジオの楽曲の情報を取得するネットワーク通信部２７と、を備える。このようにしたので、音響装置１で選択されたアプリケーションに対応する情報を携帯端末２がネットワークから取得して音響装置１に送信し、音響装置１においてユーザに提供することができる。
【００６２】
（変形例１）
インターネットラジオアプリ画面２２３Ａは、連携制御部１１０に代わって音響装置制御部１００が生成してもよい。この場合は、連携制御部１１０は図６のステップＳ３１５においてインターネットラジオアプリ画面２２３Ａを生成する代わりに音響装置制御部１００に画面生成指令、および画面生成に必要な情報、すなわち曲名、実演家名、ラジオ局名、およびジャケット写真を出力する。音響装置制御部１００は、連携制御部１１０から画面生成指令および前述の情報を受信すると、音響装置記憶部１４からインターネットラジオアプリ画面情報１４Ｃを読み込む。そして音響装置制御部１００は、インターネットラジオアプリ画面情報１４Ｃに前述の情報を統合してインターネットラジオアプリ画面を生成し、表示制御部１０２に出力する。
【００６３】
（変形例２）
インターネットラジオアプリ画面２２３Ａの構成は上記構成に限定されない。少なくとも、ミュージックアプリ画面２２４Ａと異なっていればよい。また、上述した実施の形態では肯定評価ボタン２６６および否定評価ボタン２６７による評価対象は再生中の楽曲であったが、選択しているインターネットラジオ局を評価対象としてもよい。
【００６４】
（変形例３）
携帯端末記憶部２４には楽曲データが保存されなくてもよい。この場合は、ネットワーク通信部２７を介してネットワーク上のサーバから楽曲データを取得し、取得した楽曲データをミュージックアプリが再生する。
【００６５】
（変形例４）
音響装置１は、液晶タッチパネル７２を備えなくてもよい。すなわち液晶タッチパネル７２が音響装置１の外部に存在し、音響装置１の動作指令に基づき液晶タッチパネル７２が動作してもよい。
【００６６】
（変形例５）
音響装置記憶部１４にはさらに多くの音響装置アプリが格納されてもよい。たとえば、衛星ラジオを受信し再生する衛星ラジオアプリ、ＵＳＢメモリに格納された音楽データを再生するＵＳＢメモリ音声再生アプリ、Ｂｌｕｅｔｏｏｔｈ（登録商標）により接続された機器から受信した音楽データを再生するＢＴ再生アプリなどがさらに格納されてもよい。前述のとおりソース変数は音響装置アプリごとに異なる値をとるので、音響装置記憶部１４に格納される音響装置アプリの数に応じて、ソース変数がとりうる値も増加する。
【００６７】
（変形例６）
音響装置制御部１００は、ユーザによる液晶タッチパネル７２およびステアリングコントローラ７３の操作以外に基づき、液晶タッチパネル７２に表示されたいずれかのアイコンが選択された場合と同様の処理を行ってもよい。たとえばこの場合は、ユーザにより音楽ＣＤが不図示のＣＤ読み取り装置に挿入されると、音響装置制御部１００は以下の処理を行う。すなわち音響装置制御部１００は、ＣＤアイコン２２１が選択された場合と同様にＣＤ再生アプリを起動して音楽ＣＤの再生を開始するとともに、ソース変数をＣＤ再生アプリに対応する値に設定する。
【００６８】
（変形例７）
携帯端末２は、音声信号の音響装置１への出力を開始する際に、音声信号の出力の開始を示す信号（以下、音声開始信号）を音声信号とともに音響装置１へ出力し、音響装置１の連携制御部１１０は音声開始信号を受信した場合に図６のステップＳ３１０を肯定判定してもよい。
【００６９】
上述した各実施の形態および変形例は、それぞれ組み合わせてもよい。
ソフトウエアにより実現される機能の一部、または全部は、ハードウエア回路、またはＦＰＧＡ回路により実現されてもよい。
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００７０】
１  …  音響装置
２  …  携帯端末
９  …  音響システム
１４  …  音響装置記憶部
１４Ｃ  …  インターネットラジオアプリ画面情報
１５  …  内部インタフェース
１６  …  音響装置通信部
２４  …  携帯端末記憶部
２６  …  携帯端末通信部
７１  …  スピーカ
７２  …  液晶タッチパネル
１００  …  音響装置制御部
１０２  …  表示制御部
１１０  …  連携制御部
１１３  …  連携データ送受信部
【図１】
2018005374.tif 000003
【図２】
2018005374.tif 000004
【図３】
2018005374.tif 000005
【図４】
2018005374.tif 000006
【図５】
2018005374.tif 000007
【図６】
2018005374.tif 000008
【図７】
2018005374.tif 000009